(57)【要約】      （修正有）【課題】録画した番組が延長されている場合にも、ユーザの録画番組の視聴意欲が低下するのを抑制することが可能な録画装置を提供する。【解決手段】録画装置１００は、放送番組および配信番組の少なくとも一方を受信するチューナ１と、放送番組および配信番組の録画を行う処理部２および録画制御部４ｂと、処理部２および録画制御部４ｂにより録画された放送番組および配信番組の録画番組の録画時間を表示する際に、録画番組が番組時間の延長された延長番組である場合、延長された録画時間を一定期間の間、非表示にするか、または、延長された録画時間の代わりに延長しなかった場合の番組時間を表示する延長非表示制御を行う制御部４ａとを備える。【選択図】図１
2020156012.tif 000002
【特許請求の範囲】
【請求項１】
放送番組および配信番組の少なくとも一方を受信する受信部と、
前記受信部により受信した前記放送番組および前記配信番組の録画を行う録画部と、
前記録画部により録画された前記放送番組および前記配信番組の録画番組の録画時間を表示する際に、前記録画番組が番組時間の延長された延長番組である場合、延長された録画時間を一定期間の間、非表示にするか、または、延長された録画時間の代わりに延長しなかった場合の前記番組時間を表示する延長非表示制御を行う制御部と、を備える、録画装置。
【請求項２】
前記制御部は、前記放送番組および前記配信番組の前記番組時間に関する情報が更新される電子番組情報を取得して記憶するとともに、前記番組時間に関する情報が更新される以前に取得して記憶された前記電子番組情報と前記録画番組の録画時間とに基づいて、前記録画番組が前記延長番組であるか否かを判別するように構成されている、請求項１に記載の録画装置。
【請求項３】
前記制御部は、前記電子番組情報に基づいてユーザにより設定された前記放送番組および前記配信番組において、前記延長非表示制御を行うように構成されている、請求項２に記載の録画装置。
【請求項４】
前記制御部は、前記電子番組情報の番組ジャンルに基づいてユーザにより設定された前記放送番組および前記配信番組において、前記延長非表示制御を行うように構成されている、請求項２または３に記載の録画装置。
【請求項５】
前記制御部は、前記電子番組情報に基づいてユーザにより設定された前記放送番組および前記配信番組の前記録画番組において、前記延長番組に加えて、前記番組時間の延長されなかった前記録画番組に対しても、録画時間を一定期間の間、非表示にする制御を行うように構成されている、請求項３または４に記載の録画装置。
【請求項６】
前記制御部は、前記録画部により録画中の前記放送番組および前記配信番組を再生している際に、前記番組時間が延長された場合において、前記延長非表示制御を行うように構成されている、請求項２〜５のいずれか１項に記載の録画装置。
【請求項７】
前記制御部は、前記電子番組情報に基づいて設定された前記放送番組および前記配信番組の録画が完了した際に、録画の完了を通知する表示を行わないように構成されている、請求項２〜６のいずれか１項に記載の録画装置。
【請求項８】
前記制御部は、前記延長番組において、前記録画部による録画が終了してから、前記電子番組情報に基づいた前記一定期間が経過した場合に、前記延長非表示制御を解除し、延長された録画時間を表示する制御を行うように構成されている、請求項２〜７のいずれか１項に記載の録画装置。
【請求項９】
放送番組および配信番組の少なくとも一方を受信し、
受信した前記放送番組および前記配信番組の録画を行い、
録画された前記放送番組および前記配信番組の録画番組の録画時間を表示する際に、前記録画番組が番組時間の延長された延長番組である場合、延長された録画時間を一定期間の間、非表示にするか、または、延長された録画時間の代わりに延長しなかった場合の前記番組時間を表示する、録画時間表示方法。
【発明の詳細な説明】
【技術分野】
【０００１】
本発明は、録画装置および録画時間表示方法に関し、特に、録画時間を自動で延長する録画装置および録画時間表示方法に関する。
【背景技術】
【０００２】
従来、放送時間が延長された分だけ録画時間を自動で延長する録画装置が知られている（たとえば、特許文献１参照）。
【０００３】
上記特許文献１には、放送番組の録画が行われるデジタルビデオレコーダと、延長検出器と、デジタルビデオレコーダへの録画の制御を行うＣＰＵと、を備える録画装置が開示されている。また、延長検出器は、インターネットを介して、所定のＷｅｂサイトからデータを取得する。また、ＣＰＵは、録画する番組が、放送時間が変更になる可能性がある番組であることを、録画予約リストおよびＥＰＧにより判断すると、延長検出器を、インターネットを介して所定のＷｅｂサイトに接続させる。上記特許文献１に記載の録画装置は、延長検出器の取得したデータに基づき、放送時間が変更（延長）された分だけ、自動的に録画時間を延長して、放送番組の録画を行うように構成されている。
【先行技術文献】
【特許文献】
【０００４】
【特許文献１】特開２００３−２３４９８６号公報
【発明の概要】
【発明が解決しようとする課題】
【０００５】
上記特許文献１に記載の録画装置では、放送時間が変更（延長）された分だけ、自動的に録画時間を延長して、放送番組の録画を行うように構成されている。しかしながら、放送時間が延長された録画番組を再生する際には、番組時間の延長に応じて延長された録画時間が再生画面にそのまま表示されてしまうので、録画時間から番組時間が延長されたことが視聴者（ユーザ）に分かってしまうという不都合ある。そのため、競技時間の決まっているスポーツ、たとえば、サッカーの試合において、録画した試合（録画番組）を視聴している際に、試合終了予定時間が近づいた時の得点が０対１の場合には、録画時間が延長されていることから、その後、１対１などの同点になることをユーザが推測できてしまう。このように、番組録画の延長の有無から録画番組の内容を推測することができるため、ユーザの録画番組の視聴意欲を低下させるという問題点があった。
【０００６】
この発明は、録画した番組が延長されている場合にも、ユーザの録画番組の視聴意欲が低下するのを抑制することが可能な録画装置および録画時間表示方法を提供することである。
【課題を解決するための手段】
【０００７】
上記目的を達成するために、この発明の第１の局面による録画装置は、放送番組および配信番組の少なくとも一方を受信する受信部と、受信部により受信した放送番組および配信番組の録画を行う録画部と、録画部により録画された放送番組および配信番組の録画番組の録画時間を表示する際に、録画番組が番組時間の延長された延長番組である場合、延長された録画時間を一定期間の間、非表示にするか、または、延長された録画時間の代わりに延長しなかった場合の番組時間を表示する延長非表示制御を行う制御部と、を備える。
【０００８】
この発明の第１の局面による録画装置では、上記のように、録画番組が番組時間の延長された延長番組である場合、延長された録画時間を一定期間の間、非表示にするか、または、延長された録画時間の代わりに延長しなかった場合の番組時間を表示する延長非表示制御を行う。これにより、録画番組をユーザが視聴する際に、延長された録画時間を表示しないことにより、録画時間から番組時間の延長の有無を分からないようにすることができる。その結果、録画した番組が延長されている場合にも、ユーザの録画番組の視聴意欲が低下するのを抑制することが可能な録画装置を提供することができる。また、一定期間の間において、非表示にすることにより、たとえば、録画を行ってから、一定期間経過したことによりユーザが、別のメディアなどの録画番組以外の情報から録画番組の内容を把握してしまい、番組時間の延長の有無が分かっても問題ない場合において、ユーザが延長非表示制御を解除しなくとも、一定期間経過後に延長非表示制御が解除されるので、操作性を高めることができる。
【０００９】
上記第１の局面による録画装置において、好ましくは、制御部は、放送番組および配信番組の番組時間に関する情報が更新される電子番組情報を取得して記憶するとともに、番組時間に関する情報が更新される以前に取得して記憶された電子番組情報と録画番組の録画時間とに基づいて、録画番組が延長番組であるか否かを判別するように構成されている。このように構成すれば、延長しなかった場合の番組時間を記録することにより、録画時間との比較を行うことができる。その結果、録画された番組が延長番組であるか否かを容易に判別することができる。
【００１０】
上記第１の局面による録画装置において、好ましくは、制御部は、電子番組情報に基づいてユーザにより設定された放送番組および配信番組において、延長非表示制御を行うように構成されている。このように構成すれば、ユーザにより設定された放送番組および配信番組についてのみ、制御部が延長非表示制御を行うことにより、全ての放送番組および配信番組について、延長非表示制御を行う必要がなくなる。これにより、制御が複雑になるのを抑制することができる。また、延長非表示制御の設定されていない放送番組および配信番組については、制御部が録画時間を表示することにより、ユーザは、視聴を完了する時間を把握できるので、録画番組の視聴予定が立てやすくなる。
【００１１】
上記第１の局面による録画装置において、好ましくは、制御部は、電子番組情報の番組ジャンルに基づいてユーザにより設定された放送番組および配信番組において、延長非表示制御を行うように構成されている。このように構成すれば、ユーザにより設定された番組ジャンルにおいて、制御部が延長非表示制御を行うことにより、ユーザが延長非表示制御を行いたい特定の番組ジャンル（たとえば、スポーツなど）について、まとめて延長非表示制御が行われる。これにより、ユーザの利便性が向上する。また、延長非表示制御の設定されていない番組ジャンルの放送番組および配信番組については、制御部が録画時間を表示することにより、ユーザは、視聴を完了する時間を把握することができる。これにより、録画番組の視聴予定が立てやすくなる。
【００１２】
上記第１の局面による録画装置において、好ましくは、制御部は、電子番組情報に基づいてユーザにより設定された放送番組および配信番組の録画番組において、延長番組に加えて、番組時間の延長されなかった録画番組に対しても、録画時間を一定期間の間、非表示にする制御を行うように構成されている。このように構成すれば、延長されなかった録画番組および延長番組の両方の録画時間を非表示にする制御を行うことにより、延長されなかった録画番組の録画時間と延長番組の録画時間との表示の間に差異が生じなくなる。その結果、録画番組の録画時間と延長番組の録画時間との表示の差異により、録画時間から番組時間の延長の有無がユーザに分かってしまうことを防止することができる。
【００１３】
上記第１の局面による録画装置において、好ましくは、制御部は、録画部により録画中の放送番組および配信番組を再生している際に、番組時間が延長された場合において、延長非表示制御を行うように構成されている。このように構成すれば、録画中の番組を再生している際にも実際の録画時間が表示されないので、録画中の番組を再生する場合においても、録画時間から番組時間の延長の有無が分かってしまうことを抑制することができる。
【００１４】
上記第１の局面による録画装置において、好ましくは、制御部は、電子番組情報に基づいて設定された放送番組および配信番組の録画が完了した際に、録画の完了を通知する表示を行わないように構成されている。このように構成すれば、録画中の番組を再生している際に、録画完了の通知を行わないことにより、ユーザが録画中の番組を再生している際に録画の終了時刻を認識できなくなる。これにより、録画の終了時刻から番組時間の延長の有無がユーザに分かってしまうことを抑制することができる。
【００１５】
上記第１の局面による録画装置において、好ましくは、制御部は、延長番組において、録画部による録画が終了してから、電子番組情報に基づいた一定期間が経過した場合に、延長非表示制御を解除し、延長された録画時間を表示する制御を行うように構成されている。このように構成すれば、たとえば、録画を行ってから、一定期間経過したことによりユーザが、別のメディアなどの録画番組以外の情報から録画番組の内容を把握してしまい、番組時間の延長の有無が分かっても問題ない場合において、ユーザが手動で延長非表示制御を解除しなくとも、電子番組情報に基づいて自動的に延長非表示制御が解除されるので、操作性を高めることができる。
【００１６】
この発明の第２の局面による録画時間表示方法は、放送番組および配信番組の少なくとも一方を受信し、受信した放送番組および配信番組の録画を行い、録画された放送番組および配信番組の録画番組の録画時間を表示する際に、録画番組が番組時間の延長された延長番組である場合、延長された録画時間を一定期間の間、非表示にするか、または、延長された録画時間の代わりに延長しなかった場合の番組時間を表示する。
【００１７】
この発明の第２の局面による録画時間表示方法では、上記のように、録画番組が番組時間の延長された延長番組である場合、延長された録画時間を一定期間の間、非表示にするか、または、延長された録画時間の代わりに延長しなかった場合の番組時間を表示する。これにより、録画番組をユーザが視聴する際に、延長された録画時間を表示しないことにより、録画時間から番組時間の延長の有無が分からないようにすることができる。その結果、録画した番組が延長されている場合にも、ユーザの録画番組の視聴意欲が低下するのを抑制することが可能な録画時間表示方法を提供することができる。また、一定期間の間において、非表示にすることにより、たとえば、録画を行ってから、一定期間経過したことによりユーザが、別のメディアなどの録画番組以外の情報から録画番組の内容を把握してしまい、番組時間の延長の有無が分かっても問題ない場合において、ユーザが延長非表示制御を解除しなくとも、一定期間経過後に延長非表示制御が解除されるので、操作性を高めることができる。
【発明の効果】
【００１８】
本発明によれば、録画した番組が延長されている場合にも、ユーザの録画番組の視聴意欲が低下するのを抑制することが可能な録画装置および録画時間表示方法を提供することができる。
【図面の簡単な説明】
【００１９】
【図１】本実施形態によるＨＤＤレコーダのブロック図である。
【図２】本実施形態によるＨＤＤレコーダの録画された録画番組を一覧表示した際の制御部の延長非表示制御について説明するための第１図である。
【図３】本実施形態によるＨＤＤレコーダの録画された録画番組を一覧表示した際の制御部の延長非表示制御について説明するための第２図である。
【図４】本実施形態によるＨＤＤレコーダの録画中の番組を再生した際の制御部の延長非表示制御について説明するための第１図である。
【図５】本実施形態によるＨＤＤレコーダの録画中の番組を再生した際の制御部の延長非表示制御について説明するための第２図である。
【図６】本実施形態によるＨＤＤレコーダの録画中の番組を再生した際の制御部の通知非表示制御について説明するための図である。
【図７】本実施形態によるＨＤＤレコーダの延長非表示制御について説明するためのフローチャートである。
【図８】本実施形態の第１変形例によるレコーダのブロック図である。
【図９】本実施形態の第２変形例によるテレビジョン装置のブロック図である。
【図１０】本実施形態の第３変形例によるディスクレコーダのブロック図である。
【図１１】本実施形態の第４変形例によるレコーダのブロック図である。
【発明を実施するための形態】
【００２０】
以下、本発明を具体化した実施形態を図面に基づいて説明する。
【００２１】
まず、図１を参照して、本発明の一実施形態によるＨＤＤレコーダ１００の構成について説明する。
【００２２】
本発明の一実施形態によるＨＤＤレコーダ１００は、図１に示すように、チューナ１と、処理部２と、出力部３と、制御部４ａと、録画制御部４ｂと、内蔵ＨＤＤ（Ｈａｒｄ  Ｄｉｓｋ  Ｄｒｉｖｅ）５と、を備えている。なお、ＨＤＤレコーダ１００は、特許請求の範囲の「録画装置」の一例である。また、チューナ１は、特許請求の範囲の「受信部」の一例であり、処理部２および録画制御部４ｂは、特許請求の範囲の「録画部」の一例である。
【００２３】
チューナ１には、アンテナ６が接続されている。チューナ１は、放送局から放送される放送番組を、アンテナ６を介して、受信する。また、チューナ１は、放送局から配信される電子番組情報を受信可能に構成されている。
【００２４】
処理部２は、チューナ１により受信した放送波に基づいて、受信した放送を復調するように構成されている。また、処理部２は、映像信号および音声信号のそれぞれに対してデコード処理（符号の復号化）を行い、映像データおよび音声データを生成するように構成されている。
【００２５】
出力部３は、外部の表示装置７に映像を表示させるための映像信号を送信可能に構成されている。なお、表示装置７は、ＬＣＤ（Ｌｉｑｕｉｄ  Ｃｒｙｓｔａｌ  Ｄｉｓｐｌａｙ）ディスプレイおよびＯＬＥＤ（Ｏｒｇａｎｉｃ  Ｌｉｇｈｔ  Ｅｍｉｔｔｉｎｇ  Ｄｉｏｄｅ）ディスプレイなどを含む。また、出力部３は、図示しない外部のスピーカに音声を出力させるための音声信号を送信可能に構成されている。
【００２６】
制御部４ａは、ＨＤＤレコーダ１００の各部を制御するように構成されている。具体的には、制御部４ａは、チューナ１により受信した放送番組を、処理部２を制御することにより、映像データおよび音声データ生成する。また、制御部４ａは、リモコン（図示せず）やＨＤＤレコーダ１００本体に設けられたボタン（図示せず）により、ユーザの操作を受け付ける。また、制御部４ａは、受け付けたユーザの操作に基づいて、録画予約の設定、後述する延長非表示および通知非表示制御などの設定を行う。また、制御部４ａは、出力部３を制御して、外部の表示装置７に映像を表示させるための映像信号を送信するように構成されている。また、制御部４ａは、出力部３を制御して、外部のスピーカに音声を出力させるための音声信号を送信するように構成されている。
【００２７】
制御部４ａは、チューナ１により受信した電子番組情報に基づいて、ＥＰＧ（Ｅｌｅｃｔｒｏｎｉｃ  Ｐｒｏｇｒａｍ  Ｇｕｉｄｅ：電子番組表）を作成するように構成されている。なお、電子番組情報は、放送局ごとに、それぞれ配信されている。また、電子番組情報は、番組ＩＤ、番組名、番組開始時刻、番組時間、番組説明、番組ジャンル、映像情報、音声情報、字幕情報、データ放送情報および時刻情報（標準時）についての情報を含む。また、電子番組情報は、情報が変更（たとえば、番組時間の延長など）される度に更新されて配信されている。
【００２８】
制御部４ａは、延長の有無に関する情報を番組ＩＤなどの番組固有の情報により、録画番組のデータに関連付けるように構成されている。制御部４ａは、延長の有無に関する情報を番組ＩＤなどの番組固有の情報とともに記憶しておくことにより、録画番組のデータと延長の有無に関する情報を関連付けるように構成されている。制御部４ａは、延長非表示制御を行うように設定されている場合において、延長の有無に関する情報と番組ＩＤなどの録画番組に関連付けるための情報とを取得して、取得した情報を内蔵ＨＤＤ５に保存する。
【００２９】
録画制御部４ｂは、チューナ１により受信する各チャンネルの番組を内蔵ＨＤＤ５に録画する制御を行うことが可能に構成されている。また、本実施形態では、処理部２および録画制御部４ｂは、チューナ１により受信した放送番組および配信番組の録画を行う。具体的には、録画制御部４ｂは、処理部２により生成した映像データおよび音声データを内蔵ＨＤＤ５に録画して記録する制御を行うことにより、チューナ１により受信した放送番組の録画を行う。また、録画制御部４ｂは、録画予約をＥＰＧにより行うことにより、番組単位で録画することが可能に構成されている。これにより、番組時間の延長が行われた場合においても、自動的に録画時間の延長が行われる。
【００３０】
内蔵ＨＤＤ５は、録画した放送番組の映像データおよび音声データが記録されるように構成されている。また、内蔵ＨＤＤ５は、チューナ１により受信した電子番組情報が記録されるように構成されている。また、内蔵ＨＤＤ５は、電子番組情報に基づくＥＰＧおよび延長の有無に関する情報が番組ＩＤなどの番組固有の情報とともに記録されるように構成されている。
【００３１】
本実施形態では、制御部４ａは、放送番組の番組時間に関する情報が更新される電子番組情報を取得して記憶するとともに、番組時間に関する情報が更新される以前に取得して記憶された電子番組情報と録画番組の録画時間とに基づいて、録画番組が延長番組５１であるか否かを判別するように構成されている。具体的には、制御部４ａは、電子番組情報を随時取得するように構成されており、電子番組情報を取得する際に少なくとも、番組時間を記憶するように構成されている。また、制御部４ａは、番組時間の延長が行われる前の番組時間５３（番組予定時間）を取得して、記憶するように構成されている。また、制御部４ａは、取得した最新の電子番組情報内の番組時間を録画時間とするように構成されている。このように、制御部４ａは、番組時間の延長が行われる前の番組時間５３（番組予定時間）を記憶するように制御を行っているので、録画番組の録画時間との比較により、番組時間の延長の有無を判断することができる。つまり、制御部４ａは、録画番組が延長番組５１であるか否かを、電子番組情報に基づいて、判別している。また、録画時間は、録画番組のデータ量から算出してもよいし、電子番組情報内の時刻情報から、録画番組の録画開始時間と録画終了時間とを記録しておき、記録した録画開始時間と録画終了時間の差から算出してもよい。判別の結果は、延長の有無に関する情報として、番組ＩＤなど録画番組に関連付けるための情報とともに内蔵ＨＤＤ５に保存される。延長の有無に関する情報は、ともに保存された番組ＩＤなどの番組固有の情報により、録画データと関連付けられる。録画データと関連付けられた延長の有無に関する情報は、録画番組の録画時間を表示装置７に表示する際に、制御部４ａにより読み出され、読み出された延長の有無に関する情報に基づいて、延長非表示制御が行われる。
【００３２】
また、本実施形態では、制御部４ａは、電子番組情報に基づいてユーザにより設定された放送番組において、延長非表示制御を行うように構成されている。具体的には、本実施形態のＨＤＤレコーダ１００では、ＥＰＧより、延長非表示制御を行いたい番組、つまり、延長の有無を知りたくない番組の録画予約をユーザが行う際に、録画される番組に対して、延長非表示制御を行うことを選択できるように構成されている。これにより、制御部４ａは、ユーザが延長非表示制御を行うことを選択した場合に、ユーザにより設定された番組に対して、延長非表示制御を行う。
【００３３】
また、本実施形態では、制御部４ａは、電子番組情報の番組ジャンルに基づいてユーザにより設定された放送番組において、延長非表示制御を行うように構成されている。電子番組情報の番組ジャンルには、「ニュース・報道」、「スポーツ」、「映画」、「ドラマ」、「情報／ワイドショー」、「アニメ／特撮」、「バラエティー」、「音楽」、「ドキュメンタリー／教養」、「演劇／講演」、「趣味・教養」および「福祉」などの大分類がある。これらの大分類は、それぞれの複数の小分類に分かれている。たとえば、「スポーツ」には、「野球」、「サッカー」などの小分類が含まれ、「映画」には、「洋画」、「邦画」などの小分類が含まれる。ユーザが番組ジャンルの中から、延長非表示制御を行いたい、つまり、延長の有無を知りたくない、番組ジャンル（たとえば、「サッカー」など）を設定した場合、制御部４ａは、設定された番組ジャンルの放送番組の録画番組全てに対して、延長非表示制御を行うように構成されている。
【００３４】
（録画番組サムネイル表示時の延長非表示制御）
内蔵ＨＤＤ５に録画された録画番組を一覧表示した際の制御部４ａの延長非表示制御について、図２および図３を参照して説明する。
【００３５】
図２および図３は、内蔵ＨＤＤ５に録画された録画番組を一覧表示した際の表示装置７の表示画面７１である。表示画面７１に一覧表示された録画番組の内、録画番組「○○大会  準決勝」は、番組時間が１時間延長された延長番組５１である。また、図３では、延長非表示制御を行う番組ジャンルとして、「スポーツ」が設定されている。
【００３６】
本実施形態では、制御部４ａは、録画部（処理部２および録画制御部４ｂ）により録画された放送番組の録画番組の録画時間を表示する際に、録画番組が番組時間の延長された延長番組５１である場合、延長された録画時間５２を一定期間の間、非表示にするか、または、延長された録画時間５２の代わりに延長しなかった場合の番組時間５３を表示する延長非表示制御を行うように構成されている。具体的には、制御部４ａは、図２に示すように、延長番組５１である「○○大会  準決勝」に対して、延長された録画時間５２である「３：１０」の代わりに延長しなかった場合の番組時間５３である「２：１０」を表示する延長非表示制御を行う。または、制御部４ａは、図３に示すように、延長番組５１である「○○大会  準決勝」に対して、録画時間の表示箇所に「ｘｘ：ｘｘ」と表示し、延長された録画時間５２である「３：１０」を表示しない延長非表示制御を行う。なお、本実施形態では、制御部４ａは、延長された録画時間５２を一定期間の間、非表示にする制御と、延長された録画時間５２の代わりに延長しなかった場合の番組時間５３を表示する制御と、を切り替え可能に構成されている。
【００３７】
また、本実施形態では、制御部４ａは、電子番組情報に基づいてユーザにより設定された放送番組の録画番組において、延長番組５１加えて、番組時間の延長されなかった録画番組に対しても、録画時間を一定期間の間、非表示にする制御を行うように構成されている。具体的には、図３で示すように、設定された番組ジャンルとして、「スポーツ」が選択されていた場合、番組ジャンル「スポーツ」のすべての録画番組に対して、録画時間の表示箇所に「ｘｘ：ｘｘ」と表示し、延長された録画時間５２である「３：１０」と番組ジャンル「スポーツ」のすべての録画番組の録画時間とを表示しない延長非表示制御を行う。
【００３８】
また、本実施形態では、制御部４ａは、延長番組５１において、録画部（処理部２および録画制御部４ｂ）による録画が終了してから、電子番組情報に基づいた一定期間が経過した場合に、延長非表示制御を解除し、延長された録画時間５２を表示する制御を行うように構成されている。たとえば、延長非表示制御を行う番組の番組ジャンルとして、「スポーツ」を選択していた場合において、制御部４ａは、録画番組の対象となる大会の進行状況を電子番組情報から判断し、一定期間が経過した場合に、延長非表示制御を解除するように構成されている。具体的には、制御部４ａは、電子番組情報から○○大会の試合日程など取得する。制御部４ａは、一定期間が経過した場合（たとえば、決勝戦開始後、または、大会終了後など）に、録画番組「○○大会  準決勝」対する延長非表示制御を解除して、実際の録画時間である３：１０を表示するように制御を行う。また、図３のように、同一の番組ジャンル「スポーツ」のすべての録画番組に対して、延長非表示制御が行われている場合、同一の番組ジャンル「スポーツ」のすべての録画番組に対する延長非表示制御も解除する。
【００３９】
（録画中の録画番組再生時の延長非表示制御）
次に、内蔵ＨＤＤ５に録画中の番組を再生した際の制御部４ａの延長非表示制御について、図４〜図６を参照して説明する。
【００４０】
図４および図５は、録画中の録画番組を再生した際の、表示装置７に表示される表示画面７１である。制御部４ａによる延長非表示制御を行わずに、録画番組を再生する場合において、早送りなどの操作をユーザが行った際には、表示画面７１には、図４および図５に示すように、シークバーなどとともに延長された録画時間５２が表示される。
【００４１】
本実施形態では、制御部４ａは、録画部（処理部２および録画制御部４ｂ）により録画中の放送番組を再生している際に、番組時間が延長された場合において、延長非表示制御を行うように構成されている。具体的には、延長非表示制御の設定が行われている録画番組を録画中に再生している際に、番組時間の延長を判断した場合において、制御部４ａは、延長された録画時間５２である「２：２５」の代わりに延長しなかった場合の番組時間５３である「２：１０」を表示する延長非表示制御を行う。または、制御部４ａは、図５に示すように、録画時間の表示箇所に「ｘｘ：ｘｘ」と表示し、延長された録画時間５２である「２：２５」を表示しない延長非表示制御を行う。なお、本実施形態では、制御部４ａは、延長された録画時間５２を一定期間の間、非表示にする制御と、延長された録画時間５２の代わりに延長しなかった場合の番組時間５３を表示する制御と、を切り替え可能に構成されている。また、延長しなかった場合の番組時間５３である「２：１０」を表示する際に、延長しなかった場合の番組時間５３に応じて、シークバーのように録画時間における再生箇所を示す画像および時間に関する画像の表示を変更してもよい。
【００４２】
図６は、録画中の録画番組を再生している場合において、録画が完了した際の表示装置７に表示される表示画面７１である。制御部４ａによる延長非表示制御および後述する通知非表示制御を行わずに、録画中の番組を再生する場合において、録画が完了した際には、延長された録画時間５２とともに、録画の完了を通知する表示５４が表示画面７１に表示される。
【００４３】
本実施形態では、制御部４ａは、電子番組情報に基づいて設定された放送番組の録画が完了した際に、録画の完了を通知する表示５４を行わないように構成されている。具体的には、制御部４ａは、図７に示すように、録画が完了した際に、表示画面７１に「録画停止」などのユーザに録画の完了を通知する表示５４を表示しないように制御（通知非表示制御）を行う。
【００４４】
（延長非表示制御処理フロー）
次に、本実施形態における、制御部４ａにより、延長非表示制御処理について、図７のフローチャートを用いて説明する。
【００４５】
ステップＳ１において、制御部４ａは、ＥＰＧの電子番組情報により、延長処理の要否を判断する。制御部４ａは、ＥＰＧの電子番組情報の更新により、録画時間の延長処理の要否（番組時間の延長）を判断する。制御部４ａは、録画時間の延長処理が必要と判断した場合には、ステップＳ２に移行する。また、制御部４ａは、録画時間の延長処理が不要と判断した場合には、ステップＳ７に移行する。
【００４６】
ステップＳ２において、制御部４ａは、ＥＰＧデータ内の番組時間（Ｔ１）を保存する。制御部４ａは、ＥＰＧデータ内の番組時間を読み出し、内蔵ＨＤＤ５に番組時間（Ｔ１）を保存する。なお、番組時間（Ｔ１）とは、延長しなかった場合の番組時間５３である。
【００４７】
ステップＳ３において、制御部４ａは、録画番組の録画時間（Ｔ２）を読み出す。制御部４ａは、ＥＰＧより最新の番組時間（Ｔ２）を読み出す。
【００４８】
ステップＳ４において、制御部４ａは、番組時間（Ｔ１）と番組時間（Ｔ２）を比較する。制御部４ａは、ステップＳ２において保存した番組時間（Ｔ１）とステップＳ３において読み出した最新の番組時間（Ｔ２）を比較する。比較した結果が、Ｔ２＞Ｔ１の場合には、ステップＳ５に移行する。また、比較した結果が、Ｔ２＞Ｔ１の場合には、番組時間（Ｔ２）は、延長された録画時間５２である。Ｔ２≦Ｔ１の場合には、ステップＳ７に移行する。
【００４９】
ステップＳ５において、制御部４ａは、延長ありと判断する。制御部４ａは、ステップＳ４の結果が、Ｔ２＞Ｔ１であったことから録画番組は、番組時間の延長された延長番組５１であると判断する。
【００５０】
ステップＳ６において、制御部４ａは、延長非表示制御を実施する。制御部４ａは、録画番組に対して、延長非表示制御を実施し、延長の有無をユーザが分からないようにする。
【００５１】
ステップＳ７において、制御部４ａは、延長非表示制御を実施しない。制御部４ａは、録画番組に対して、延長非表示制御を実施せず、録画時間を表示装置７に、そのまま表示する。
【００５２】
（本実施形態の効果）
本実施形態では、以下のような効果を得ることができる。
【００５３】
本実施形態では、上記のように、放送番組を受信するチューナ１と、チューナ１により受信した放送番組の録画を行う処理部２および録画制御部４ｂと、処理部２および録画制御部４ｂにより録画された放送番組の録画番組の録画時間を表示する際に、録画番組が番組時間の延長された延長番組５１である場合、延長された録画時間５２を一定期間の間、非表示にするか、または、延長された録画時間５２の代わりに延長しなかった場合の番組時間５３を表示する延長非表示制御を行う制御部４ａとを備える。これにより、録画番組をユーザが視聴する際に、延長された録画時間５２を表示しないことにより、録画時間から番組時間の延長の有無を分からないようにすることができる。その結果、録画した番組が延長されている場合にも、ユーザの録画番組の視聴意欲が低下するのを抑制することが可能なＨＤＤレコーダ１００を提供することができる。また、一定期間の間において、非表示にすることにより、たとえば、録画を行ってから、一定期間経過したことによりユーザが、別のメディアなどの録画番組以外の情報から録画番組の内容を把握してしまい、番組時間の延長の有無が分かっても問題ない場合において、ユーザが延長非表示制御を解除しなくとも、一定期間経過後に延長非表示制御が解除されるので、操作性が高まる。
【００５４】
本実施形態では、上記のように、制御部４ａは、放送番組の番組時間に関する情報が更新される電子番組情報を取得して記憶するとともに、番組時間に関する情報が更新される以前に取得して記憶された電子番組情報と録画番組の録画時間とに基づいて、録画番組が延長番組５１であるか否かを判別するように構成されている。これにより、延長しなかった場合の番組時間５３を記録することにより、録画時間との比較を行うことができる。その結果、録画された番組が延長番組５１であるか否かを容易に判別することができる。
【００５５】
本実施形態では、上記のように、制御部４ａは、電子番組情報に基づいてユーザにより設定された放送番組において、延長非表示制御を行う。これにより、ユーザにより設定された放送番組についてのみ、制御部４ａは、延長非表示制御を行うことにより、全ての放送番組について、延長非表示制御を行う必要がなくなる。その結果、制御が複雑になるのを抑制することができる。また、延長非表示制御の設定されていない放送番組については、制御部４ａは、録画時間を表示することにより、ユーザは、視聴を完了する時間を把握できるので、録画番組の視聴予定が立てやすくなる。
【００５６】
本実施形態では、上記のように、制御部４ａは、電子番組情報の番組ジャンルに基づいてユーザにより設定された放送番組において、延長非表示制御を行う。これにより、ユーザにより設定された番組ジャンルにおいて、制御部４ａは、延長非表示制御を行うことにより、ユーザが延長非表示制御を行いたい特定の番組ジャンル（たとえば、スポーツなど）について、まとめて延長非表示制御が行われる。その結果、ユーザの利便性が向上する。また、延長非表示制御の設定されていない番組ジャンルの放送番組については、制御部４ａは、録画時間を表示することにより、ユーザは、視聴を完了する時間を把握することができる。これにより、録画番組の視聴予定が立てやすくなる。
【００５７】
本実施形態では、上記のように、制御部４ａは、電子番組情報に基づいてユーザにより設定された放送番組の録画番組において、延長番組５１に加えて、番組時間の延長されなかった録画番組に対しても、録画時間を一定期間の間、非表示にする制御を行う。これにより、延長されなかった録画番組および延長番組５１の両方の録画時間を非表示にする制御を行うことにより、延長されなかった録画番組の録画時間と延長番組５１の録画時間との表示の間に差異が生じなくなる。その結果、録画番組の録画時間と延長番組５１の録画時間との表示の差異により、録画時間から番組時間の延長の有無がユーザに分かってしまうことを防止することができる。
【００５８】
本実施形態では、上記のように、制御部４ａは、処理部２および録画制御部４ｂにより録画中の放送番組を再生している際に、番組時間が延長された場合において、延長非表示制御を行う。これにより、録画中の番組を再生している際にも実際の録画時間が表示されないので、録画中の番組を再生する場合においても、録画時間から番組時間の延長の有無が分かってしまうことを抑制することができる。
【００５９】
本実施形態では、上記のように、制御部４ａは、電子番組情報に基づいて設定された放送番組の録画が完了した際に、録画の完了を通知する表示を行わない。これにより、録画中の番組を再生している際に、録画完了の通知を行わないことにより、ユーザが録画中の番組を再生している際に録画の終了時刻を認識できなくなる。その結果、録画の終了時刻から番組時間の延長の有無がユーザに分かってしまうことを抑制することができる。
【００６０】
本実施形態では、上記のように、制御部４ａは、延長番組５１において、処理部２および録画制御部４ｂによる録画が終了してから、電子番組情報に基づいた一定期間が経過した場合に、延長非表示制御を解除し、延長された録画時間５２を表示する制御を行う。これにより、たとえば、録画を行ってから、一定期間経過したことによりユーザが、別のメディアなどの録画番組以外の情報から録画番組の内容を把握してしまい、番組時間の延長の有無が分かっても問題ない場合において、ユーザが手動で延長非表示制御を解除しなくとも、電子番組情報に基づいて自動的に延長非表示制御が解除されるので、操作性が高まる。
【００６１】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００６２】
たとえば、本実施形態では、チューナ１により受信した放送番組の録画番組に対して、延長非表示制御を行う構成の例を示したが、本発明は、これに限られない。本発明では、図８に示す、本実施形態の第１変形例によるレコーダ２００のように、受信部として、インターネットに接続する通信部１１を備え、インターネット経由で配信される配信番組を受信できるようにして、受信した配信番組の録画番組に対して、延長非表示制御を行うようにしてもよい。
【００６３】
また、本実施形態では、内蔵ＨＤＤ５を備えたＨＤＤレコーダ１００の例を示したが、本発明は、これに限られない。本発明では、図９に示す、本実施形態の第２変形例によるテレビジョン装置３００のように映像を出力する表示部７０を備えた録画装置に本発明を適用してもよい。また、本発明では、外付けの記憶デバイス２１とテレビジョン装置３００とを接続する接続部２０を設け、記憶デバイス２１に録画を行うテレビジョン装置３００に本発明を適用してもよい。
【００６４】
また、本実施形態では、内蔵ＨＤＤ５を備えたＨＤＤレコーダ１００の例を示したが、本発明は、これに限られない。本発明では、図１０で示す、本実施形態の第３変形例によるディスクレコーダ４００のように、ディスクドライブ２２を設けて、光ディスクなどに録画を行うようにしてもよい。
【００６５】
また、本実施形態では、内蔵ＨＤＤ５を備えたＨＤＤレコーダ１００の例を示したが、本発明は、これに限られない。本発明では、図１１に示す、本実施形態の第４変形例によるレコーダ５００のように、外付けの記憶デバイス２１とレコーダ５００とを接続する接続部２０を設け、記憶デバイス２１に録画を行うようにしてもよい。
【００６６】
また、本実施形態では、内蔵ＨＤＤ５を備えたＨＤＤレコーダ１００の例を示したが、本発明は、これに限られない。本発明では、ＨＤＤ以外の記録デバイスに録画を行うようにしてもよく、たとえば、ＳＳＤ（Ｓｏｌｉｄ  Ｓｔａｔｅ  Ｄｒｉｖｅ）、ＢＤ（Ｂｌｕｅ−ｒａｙ  Ｄｉｓｋ  ）、およびフラッシュメモリなどに録画を行うようにしてもよい。
【００６７】
また、本実施形態では、制御部４ａによる延長非表示制御は、延長された録画時間５２を一定期間の間、非表示にする制御、または、延長された録画時間５２の代わりに延長しなかった場合の番組時間を表示する制御、を切り替え可能に構成する例を示したが、本発明は、これに限られない。本発明では、制御部は、延長された録画時間を一定期間の間、非表示にする制御、または、延長された録画時間の代わりに延長しなかった場合の番組時間を表示する制御、のいずれか一方のみの制御を行うようにしてもよい。
【００６８】
また、本実施形態では、電子番組情報に基づいてユーザにより設定された放送番組、および、電子番組情報の番組ジャンルに基づいてユーザにより設定された放送番組において、制御部４ａによる延長非表示制御を行う例を示したが、本発明は、これに限られない。本発明では、全ての録画番組に対して、制御部による延長非表示制御を行うようにしてもよい。
【００６９】
また、本実施形態では、電子番組情報と録画番組の録画時間と比較により、延長番組５１である否かを判別する例を示したが、本発明は、これに限られない。本発明では、電子番組情報内の番組時間のみにより、延長番組である否かを判別してもよい。
【００７０】
また、本実施形態では、延長番組５１に加えて、番組時間の延長されなかった録画番組に対しても、延長された録画時間５２を一定期間の間、非表示にする制御を行う例を示したが、本発明は、これに限られない。本発明では、延長番組のみを非表示にする制御を行ってもよい。
【００７１】
また、本実施形態では、録画中の放送番組を再生している際に、番組時間が延長された場合において、延長非表示制御を行う例を示したが、本発明は、これに限られない。本発明では、録画中の放送番組を再生している際に、延長非表示制御を行わないように、制御部の制御を切り替え可能にしてもよい。
【００７２】
また、本実施形態では、制御部４ａは、放送番組の録画が完了した際に、録画の完了を通知する表示を表示画面７１に表示しない例を示したが、本発明は、これに限られない。本発明では、録画装置本体に設けられた表示ランプを、録画状態を示す状態にし続けることにより、録画の完了を通知しないようにしてもよい。
【００７３】
また、本実施形態では、録画が終了してから、電子番組情報に基づいた一定期間が経過した場合に、延長非表示制御を解除し、延長された録画時間５２を表示する制御を行うようにする例を示したが、本発明は、これに限られない。本発明では、電子番組情報に基づかずに、ユーザにより指定された期間が経過した場合に、延長非表示制御を解除し、延長された録画時間を表示する制御を行うようにしてもよい。
【００７４】
また、本実施形態では、録画部としての処理部２および録画制御部４ｂは、制御部４ａとは、別個に設けられている例を示したが、本発明は、これに限られない。本発明では、録画部は、録画装置内において、図８〜図１１に示すように、一部、または、全てが、制御部と共通に設けられてもよいし、制御部が録画部として、制御を行うようにしてもよい。また、本発明では、録画部および制御部は、ハードウェア的に構成されてよいし、ソフトウェア的に構成されるようにしてもよい。
【符号の説明】
【００７５】
１  チューナ（受信部）
２  処理部（録画部）
４ａ  制御部
４ｂ  録画制御部（録画部）
５１  延長番組
５２  延長された録画時間
５３  延長しなかった場合の番組時間
５４  録画の完了を通知する表示
１００  ＨＤＤレコーダ（録画装置）
【図１】
2020156012.tif 000003
【図２】
2020156012.tif 000004
【図３】
2020156012.tif 000005
【図４】
2020156012.tif 000006
【図５】
2020156012.tif 000007
【図６】
2020156012.tif 000008
【図７】
2020156012.tif 000009
【図８】
2020156012.tif 000010
【図９】
2020156012.tif 000011
【図１０】
2020156012.tif 000012
【図１１】
2020156012.tif 000013